(57)【特許請求の範囲】
【請求項１】
ボックス型鋼製建材の端部を建物の取付け面に取付ける固定金物であって、当該金物は、前記取付け面に固定するフランジと、該取付けフランジと一体に設けられ、前記ボックス型鋼製建材の端部から、その内部に挿入可能な金物本体とからなり、該金物本体は、前記取付けフランジが傾斜された状態でのボックス型鋼製建材内への傾斜挿入姿勢と、金物本体に設けられる回動支点部を介してボックス型鋼製建材内で、同鋼製建材に対し相対的に傾斜解消方向である回動固定姿勢とに回動変位可能に設けられ、この回動固定姿勢において、前記回動支点部と、この回動支点部に対向して設けられる第１圧接部に前記ボックス型鋼製建材によるスプリングバックが作用する構成とされていることを特徴とするボックス型鋼製建材の固定金物。
【請求項２】
ボックス型鋼製建材の縦方向内側寸法Ａと、金物本体の回動固定姿勢時における回動支点部の前側に位置する第２圧接部と、これと対向する第１圧接部との間の寸法Ｂと、前記第１圧接部の先端と、前記第２圧接部の後端である回動支点部との間の寸法Ｃと、前記第１圧接部の前端に続く第１傾斜部と前記第２圧接部の後端に続く第２傾斜部との間の寸法ＤがＢ＞Ａ、Ｃ＞Ａ、Ｄ＜Ａの寸法関係に設けられている構成を特徴とする請求項１記載のボックス型鋼製建材の固定金物。
【請求項３】
ボックス型鋼製建材の縦方向内側寸法Ａと、金物本体の回動固定姿勢時における回動支点部と第１圧接部先端との間の寸法Ｅと、前記回動支点部より前側に位置する第２圧接部と、これと対向する第１圧接部との間の寸法ＢとがＥ＜Ａ＜Ｂの寸法関係に設けられている構成を特徴とする請求項１記載のボックス型鋼製建材の固定金物。
【請求項４】
建物の取付け面への取付フランジと、この取付けフランジと一体に設けた金物本体とからなる固定金物の金物本体を、取付けフランジが傾斜した傾斜挿入姿勢でボックス型鋼製建材内へ挿入した後、当該ボックス型鋼製建材内で、前記金物本体に設けられる回動支点部を介して傾斜解消方向である回動支点姿勢に回動変位させ、この回動姿勢において、前記回動支点部と、この前側の第２圧接部及び前記回動支点部に対向して設けた第１圧接部に前記ボックス型鋼製建材のスプリングバックを作用させ、かつ前記固定金物を取付け面に固定することを特徴とするボックス型鋼製建材の固定方法。
【請求項５】
取付けフランジ及びこれと一体の金物本体からなる二個一対の固定金物のうち、一方の固定金物の取付けフランジを建物の取付け面に固定し、前記取付けフランジに対し傾斜した姿勢でボックス型鋼製建材内に前記金物本体を挿入し、その後、前記金物本体の回動支点部を介してボックス型鋼製建材を傾斜解消方向である回動固定姿勢に変位させ、この回動固定姿勢において、前記回動支点部と、この前側の第２圧接部及び回動支点部に対向して設けた第１圧接部に前記ボックス型鋼製建材のスプリングバックを作用させ、かつ他方の固定金物を取付け面に固定することを特徴とするボックス型鋼製建材の固定方法。
【発明の詳細な説明】
【０００１】
【発明の属する技術分野】
本発明は、例えばボックス型鋼製の吊り天井根太や、その他の各種ボックス型鋼製建材の固定金物及び固定方法に関する。
【０００２】
従来、吊り天井根太は木材で施工されているが、材質にバラツキが多く、施工後、狂いが生じやすいと共に、コスト高である。そこで、吊り天井根太をスチール化することで品質の安定化を図る試みがなされており、この場合における支持構造は通常図１０、図１１と、図１２のように行なわれる。
スチール化した天井根太において、同上図に示すように、断面が矩形で、所定長さのボックス型鋼製天井根太１の両端部は取付け金具２，２で支持される。
【０００３】
図１０及び図１１に示す取付け金具２は、所定厚さの一枚の金属板を折曲げ成形することにより、上方と横方向が開いており、底板３と両側板４，４とからなる、ほぼコ字形をなす受け部を有し、この両側板４，４から一体に取付け翼板５，５を有した構造である。
【０００４】
前記取付け金具２は、図１１に示したように、取付け翼板５，５を１階の壁上枠材６の上に当てがい、図示しないボルト、ナットを用いて側根太７に固定したうえ、ボックス型鋼製天井根太１の両端部をコ字形をなす底板３と両側板４，４の受け部内に嵌合保持させた、所謂、腰掛け支持構造である。
【０００５】
一方、図１２に示した取付け金具２は、所定厚さの一枚の金属板を折り曲げ成形することにより、連結板８と両側板４，４とで平面コ字形をなす挿入部を有し、この両側板４，４から一体に取付け翼板５，５を有した構造である。
【０００６】
前記取付け金具２は、その挿入部をボックス型鋼製天井根太１の両端から、その内側へ挿入し、取付け翼板５，５をボルト・ナットを用いて図示しない根太に固定し、ボックス型鋼製天井根太１の両端部を前記挿入部で保持させた、所謂、前記天井根太１への嵌め込み式支持構造である。
【０００７】
【発明が解決しようとする課題】
図１０、図１１に示したボックス型鋼製天井根太１の取付け金具２による支持構造であると、次の欠点がある。
▲１▼  中空のボックス型鋼製天井根太１を、取付け金具２のコ字形受け部が外側から支持するので、取付け金具２とボックス型鋼製天井根太１との密着が十分でなく、この鋼製天井根太１は下方からの力で浮き上るおそれがある。
▲２▼  このため、鋼製天井根太１と取付け金具２との間をボルト締結するなど、ずれ防止手段が必要となる。
▲３▼  図１１（Ｂ）のａ部は、鋼製天井根太１と取付け金具２との二重構造となって段差が発生し、仕上げ上問題がある。さらに、この二重構造部分では、ねじ等のファスニング施工が困難になる。
【０００８】
図１２に示したボックス型鋼製天井根太１の取付け金具２による支持構造であると次の欠点がある。
▲１▼  ボックス型鋼製天井根太１を、その両端に取付け金具２の挿入部を挿入して支持するので、前記挿入部をボックス型鋼製天井根太１に挿入するためには、鋼製天井根太１の縦内部寸法ｂ、前記挿入部の縦外部寸法ｂ′において、必ずｂ′＜ｂとなり、両者間にガタが発生する。
▲２▼  ボックス型鋼製天井根太１と取付け金具２の嵌合性を高めるためには、ｂ′≒ｂとなり、両者間の隙間が小さくなるので、両者が嵌合しにくくなり、施工性が悪くなる。
【０００９】
本発明は、前記従来技術の有する課題を解決したもので、前記ボックス型鋼製根太や、その他各種のボックス型鋼製建材において、その断面が中空である特徴を最大限有効利用し、従来の腰掛け式支持構造や、嵌め込み式支持構造に代えて、建材への所謂呑み込み型の固定金物及び固定方法を提供することを目的とする。
【００１０】
【課題を解決するための手段】
前記の課題を解決するため、本発明に係るボックス型鋼製建材の固定金物は、ボックス型鋼製建材の端部を建物の取付け面に取付ける固定金物であって、当該金物は、前記取付け面に固定するフランジと、該取付けフランジと一体に設けられ、前記ボックス型鋼製建材の端部から、その内部に挿入可能な金物本体とからなり、該金物本体は、前記取付けフランジが傾斜された状態でのボックス型鋼製建材内への傾斜挿入姿勢と、金物本体に設けられる回動支点部を介してボックス型鋼製建材内で、同鋼製建材に対し相対的に傾斜解消方向である回動固定姿勢とに回動変位可能に設けられ、この回動固定姿勢において、前記回動支点部と、この回動支点部に対向して設けられる第１圧接部に前記ボックス型鋼製建材によるスプリングバックが作用する構成とされていることを特徴とする。
【００１１】
また、本発明において、ボックス型鋼製建材の縦方向内側寸法Ａと、金物本体の回動固定姿勢時における回動支点部の前側に位置する第２圧接部と、これと対向する第１圧接部との間の寸法Ｂと、前記第１圧接部の先端と、前記第２圧接部の後端である回動支点部との間の寸法Ｃと、前記第１圧接部の前端に続く第１傾斜部と前記第２圧接部の後端に続く第２傾斜部との間の寸法ＤがＢ＞Ａ、Ｃ＞Ａ、Ｄ＜Ａの寸法関係に設けられている構成を特徴とする。
【００１２】
さらに、本発明において、ボックス型鋼製建材の縦方向内側寸法Ａと、金物本体の回動固定姿勢時における回動支点部と第１圧接部先端との間の寸法Ｅと、前記回動支点部より前側に位置する第２圧接部と、これと対向する第１圧接部との間の寸法ＢとがＥ＜Ａ＜Ｂの寸法関係に設けられている構成を特徴とする。
【００１３】
また、本発明のボックス型鋼製建材の固定方法は、建物の取付け面への取付フランジと、この取付けフランジと一体に設けた金物本体とからなる固定金物の金物本体を、取付けフランジが傾斜した傾斜挿入姿勢でボックス型鋼製建材内へ挿入した後、当該ボックス型鋼製建材内で、前記金物本体に設けられる回動支点部を介して傾斜解消方向である回動支点姿勢に回動変位させ、この回動姿勢において、前記回動支点部と、この前側の第２圧接部及び前記回動支点部に対向して設けた第１圧接部に前記ボックス型鋼製建材のスプリングバックを作用させ、かつ前記固定金物を取付け面に固定することを特徴とする。
【００１４】
また、本発明のボックス型鋼製建材の固定方法は、取付けフランジ及びこれと一体の金物本体からなる二個一対の固定金物のうち、一方の固定金物の取付けフランジを建物の取付け面に固定し、前記取付けフランジに対し傾斜した姿勢でボックス型鋼製建材内に前記金物本体を挿入し、その後、前記金物本体の回動支点部を介してボックス型鋼製建材を傾斜解消方向である回動固定姿勢に変位させ、この回動固定姿勢において、前記回動支点部と、この前側の第２圧接部及び回動支点部に対向して設けた第１圧接部に前記ボックス型鋼製建材のスプリングバックを作用させ、かつ他方の固定金物を取付け面に固定することを特徴とする。
【００１５】
本発明の請求項１〜３によると、固定金物の金物本体を、ボックス型鋼製建材の両端内部に挿入する際は、金物本体をボックス型鋼製建材よりも小さめの寸法としておき、その後、ボックス型鋼製建材あるいは固定金物を回動することによって、固定金物の金物本体がボックス型鋼製建材を押し広げる方式とするため、固定金物の取付け施工性と嵌合性の双方を同時に向上可能となる。
【００１６】
本発明の請求項４によると、固定金物における金物本体の第１圧接部の前側に第１傾斜面を設け、この第１傾斜面と対向する第２圧接部を若干角度を付けて設けることにより、固定金物をボックス型鋼製建材端部に挿入後、取付け面に固定する際に、固定金物が回転し、ボックス型鋼製建材を押し広げることで、ボックス型鋼製建材と固定金物との間に隙間が発生せず、ボックス型鋼製建材のスプリングバックにより嵌合性が高まることになる。
【００１７】
本発明の請求項５によると、ボックス型鋼製建材の端部を固定金物に差し込んだ後、回動する際に、固定金物がボックス型鋼製建材を押し広げることで、ボックス型鋼製建材と固定金物との間に隙間が発生せず、ボックス型鋼製建材のスプリングバックにより嵌合性が高められることになる。
【００１８】
【発明の実施の形態】
以下、本発明の実施形態を図１〜図９を参照して説明する。
各図には、本発明に係るボックス型鋼製建材の具体例としてボックス型鋼製天井根太が示されている。
図１は固定金物の斜視図を示し、図２は固定金物の平面図を示し、図３（Ａ），（Ｂ）は一対の固定金物の正面図と側面図を示し、図４（Ａ），（Ｂ）は建物の取付け面に固定した一方の固定金物に対し、ボックス型鋼製天井根太を、傾斜挿入後、回動固定した状態の一部断面した側面図と、（Ａ）におけるＡ−Ａ線矢視断面図を示し、図５（Ａ），（Ｂ）は本発明に係るボックス型鋼製天井根太の固定金物の他の実施形態の正面図と側面図を示し、図６は建物の取付け面に固定した一方の固定金物にボックス型鋼製天井根太の端部を固定した状態の一部断面した側面図を示し、図７は一対の固定金物を用いてボックス型鋼製天井根太を取り付ける状態の説明図を示し、図８は一対の固定金物を用いてボックス型鋼製天井根太を取り付けた状態の縦断側面図を示し、図９（Ａ），（Ｂ）は一対の固定金物を用いてボックス型鋼製天井根太を取り付ける状態と、取り付けた状態の各横断平面図を示す。
【００１９】
図４及び図６ないし図９に示したように、ボックス型鋼製天井根太１２は、所定の長さを有し、かつ長手方向と直角の断面が縦長長方形の中空に形成されている。
このボックス型鋼製天井根太１２の両端が固定される２個で一対の固定金物１０，１１は、いずれも所定板厚の金属板を所定形状に切断し、かつ曲げ加工して構成される。
【００２０】
各図において、一対の固定金物１０，１１は、両側板１３，１３と、先端連結板１４とで形成され、上下方向が開いている平面ほぼコ字形の金物本体１５と、前記両側板１３，１３の基端を外側へ対称に曲げ形成された取付けフランジ１６，１６とで一体に構成されている。
【００２１】
前記金物本体１５は上下方向が開いている平面ほぼ山形の突出部１７を先端に有しており、この突出部１７の上端は、図４に二点鎖線で示したように、ボックス型鋼製天井根太１２内への傾斜挿入姿勢とするために、基端から先端へ傾斜下降した第１傾斜面１８に形成してある。
【００２２】
前記金物本体１５は図２及び図４（Ｂ）に示したように、上端の幅方向寸法Ｆ1 がボックス型鋼製天井根太１２の横方向内側寸法Ａより所要寸法だけ小さく設けてあると共に、下端の幅方向寸法Ｆは前記天井根太１２の幅方向内側寸法Ａとほぼ同一に設けてある。
【００２３】
また、前記金物本体１５は、図４（Ａ）に二点鎖線で示した如く、ボックス型鋼製天井根太１２の端部から、その内部に傾斜挿入した姿勢から、前記天井根太１２内で、同天井根太１２に対し相対的に、図中矢印ｄが示した傾斜解消方向へ回動して、同図中実線で示した如く、ボックス型鋼製天井根太１２が回動固定姿勢に回動変位されるよう、下端の先端から所要寸法だけ後側に回動支点部１９を設けてあると共に、該回動支点１９と対向して、前記ボックス型鋼製天井根太１２の回動固定した姿勢において、当該天井根太１２のスプリングバックが作用する第１圧接部２０を上端に水平に設けてある。
【００２４】
また、前記金物本体１５の前記回動支点部１９の前側には、ボックス型鋼製天井根太１２のスプリングバックが作用する第２圧接部２１を設けてあるが、この第２圧接部２１は、図１ないし図４に示す第１実施形態によると水平に設けてあり、図５及び図６に示す第２実施形態によると、回動支点部１９から前方へ傾斜下降して設けてある。
【００２５】
さらに、前記金物本体１５は、図４（Ａ）に二点鎖線で示したように、ボックス型鋼製天井根太１２の端部内に傾斜挿入可能とするために前記回動支点部１９の後端に続く第２傾斜部２２を、回動支点部１９から後側へ傾斜上昇して設けてある。
【００２６】
また、前記金物本体１５は図２に示したように、両取付けフランジ１６，１６を結ぶ直線ｅと直交する中心線ｆに対し、角度θだけ一側に傾斜させてあり、ボックス型鋼製天井根太１２内への傾斜挿入姿勢から前記回動固定姿勢に回動変位した際に、スプリングバックが作用して図４（Ｂ）に示した如く、当該金物本体１５とボックス型鋼製天井根太１２とが、当該天井根太１２の長手方向と直角の横幅方向において相互に密着するよう設けられている。
【００２７】
前記ボックス型鋼製天井根太１２の縦方向内側寸法Ａに対し、前記固定金物１０，１１の金物本体１５の各部の寸法は次のように設定されている。
図３〜図６において、ボックス型鋼製天井根太２の縦方向内側寸法Ａと、金物本体１５の第２圧接部２１と、これと対向する第１圧接部２０との間の寸法Ｂと、第１圧接部２０の先端２０ａと回動支点部１９との間の寸法Ｃと、第１傾斜部１８と第２傾斜部２２との間の寸法Ｄとが、Ｂ＞Ａ、Ｃ＞Ａ、Ｄ＜Ａの寸法関係に設けられている。
【００２８】
また、ボックス型鋼製天井根太１２の縦方向内側寸法Ａと、金物本体１５の回動支点部１９と第１圧接部２０の先端２０ａとの間の寸法Ｅと、第２圧接部２１と、これと対向する第１圧接部２０との間の寸法Ｂとが、Ｅ＜Ａ＜Ｂの寸法関係に設けられている。また、図３（Ｂ）に示したように、金物本体１５の第１傾斜部１８の先端（下降端）と、第２圧接部２１との間の寸法Ｃ1 は、前記したＡよりも小さく設けており、当該固定金物１０，１１の金物本体１５がボックス型鋼製天井根太１２内に容易に傾斜挿入可能としている。
【００２９】
次いで、ボックス型鋼製天井根太１２の固定方法を図７〜図９を参照して詳述する。
前記天井根太１２の固定方法としては、▲１▼ボックス型鋼製天井根太１２の両端部に、予め一対の固定金物１０，１１を挿入しておく場合と、▲２▼一対の固定金物１０，１１のうち、一方の固定金物１１を予めボックス型鋼製天井根太１２の一端部に挿入しておき、他方の固定金物１０を予め建物の取付け面に固定しておく場合がある。
【００３０】
前記▲１▼の固定方法は次のように行われる。図４（Ａ）に二点鎖線で示したように固定金物１０の金物本体１５を、取付けフランジ１６，１６が傾斜した傾斜挿入姿勢でボックス型鋼製天井根太１２の端部内へ挿入した後、当該天井根太１２内で、金物本体１５に設けた回動支点部１９を支点として同図に矢印ｄで示した傾斜解消方向へ回動させると、既述した各部の寸法関係によって、ボックス型鋼製天井根太１２は押し広げられることで、金物本体１５の回動支点部１９と第１、第２両圧接部２０，２１にボックス型鋼製天井根太１２のスプリングバックが作用し、当該ボックス型鋼製天井根太１２と固定金物１０は、これらの間に隙間なく固定され、嵌合性が高められる。他方の固定金物１１も、前記固定金物１０と同様にしてボックス型鋼製天井根太１２の端部内に固定される。
【００３１】
次いで、一対の固定金物１０，１１を図８に示したように壁上枠材９ａ上に当てがい、ボルト・ナット２３を用いて側根太９，９に固定することで、当該ボックス型鋼製天井根太１２を固定することができる。
【００３２】
前記▲２▼の固定方法は次のように行なわれる。
図７に示したように、一対の固定金物１０，１１のうち、予め一方の固定金物１０は、壁上枠材９ａ上に当てがい、取付けフランジ１６，１６をボルト・ナット２３…を用いて側根太９に固定することで建物の取付け面に固定しておく。他方の固定金物１１はボックス型鋼製天井根太１２の他端に前記したようにして挿入固定しておく。
【００３３】
次いで、図７に実線で示したように、ボックス型鋼製天井根太１２を傾斜した姿勢で、その一端内に固定金物１０の金物本体１５を傾斜挿入し、その後、金物本体１５の回動支点部１９を支点としてボックス型鋼製天井根太１２を図中矢印ｇが示した傾斜解消方向へ回動変位させると、既述した各部の寸法関係によって、ボックス型鋼製天井根太１２は押し広げられることで、両者間に隙間が発生せず、当該ボックス型鋼製天井根太１２のスプリングバックが金物本体１５の回動支点部と、第１、第２両圧接部２０，２１に作用して両者の嵌合性が高められる。
【００３４】
次いで、他方の固定金物１１を同図に二点鎖線で示したように、壁上枠材９ａ上に当てがい、取付けフランジ１６，１６をボルト・ナット２３…を用いて側根太９に固定することで、建物の取付け面に固定することができる。
【００３５】
前記▲１▼，▲２▼の両固定方法においては、図９（Ａ）に示したように、他方の固定金物１１をボックス型鋼製天井根太１２内に深く挿入しておき、この状態でボックス型鋼製天井根太１２を両側根太９，９間において水平に保持し、その後、固定金物１１を同上図（Ａ）に矢印で示したように側根太９側へ引き出して側根太９に固定することで、図９（Ｂ）に示した如き、ボックス型鋼製天井根太１２は固定される。
【００３６】
【発明の効果】
以上説明したように、本発明によれば、ボックス型鋼製建材の端部を固定金物で固定する際に、予め固定金物をボックス型鋼製建材よりも若干大きく形成しておくことで、様々な取付けに対応して取付施工性を高めながら、ボックス型鋼製建材のスプリングバックにより固定金物との嵌合性を高めることができる。
【図面の簡単な説明】
【図１】本発明に係るボックス型鋼製天井根太の固定金物の実施形態を示す斜視図である。
【図２】同上固定金物を示す平面図である。
【図３】同上固定金物を示し、（Ａ）はその正面図、（Ｂ）はその側面図である。
【図４】同上固定金物とボックス型鋼製天井根太の取付け状態を示し、（Ａ）はその一部切欠し、一部断面した側面図、（Ｂ）は（Ａ）におけるＡ−Ａ線矢視断面図である。
【図５】同上固定金物の他の実施形態を示し、（Ａ）はその正面図、（Ｂ）はその側面図である。
【図６】他の実施形態による固定金物とボックス型鋼製天井根太端部の取付け状態を示す一部切欠し一部断面した側面図である。
【図７】予め取付けておいた一方の固定金物にボックス型鋼製天井根太を固定する状態を示す一部切欠し、一部断面した側面図である。
【図８】予めボックス型鋼製天井根太の両端に固定金物を挿入しておき、該固定金物を側根太に固定した状態を示す一部切欠し、一部断面した側面図である。
【図９】（Ａ）は同上固定金物を用いてボックス型鋼製天井根太を両側根太に取付ける状態を示す一部切欠し、一部断面した平面図、（Ｂ）はボックス型鋼製天井根太を取付けた状態を示す一部切欠し、一部断面した平面図である。
【図１０】従来のボックス型鋼製建材と取付け金具を示す斜視図である。
【図１１】従来のボックス型鋼製建材を取付け金具を用いて固定した状態を示し、（Ａ）はその平面図、（Ｂ）はその側面図である。
【図１２】従来のボックス型鋼製建材と他の取付け金具を示す斜視図である。
【符号の説明】
１０，１１  一対の固定金物
１２  ボックス型鋼製建材
１５  金物本体
１６  取付けフランジ
１８  第１傾斜部
１９  回動支点部
２０  第１圧接部
２１  第２圧接部
２２  第２傾斜部
Ａ  ボックス型鋼製建材の縦方向内側寸法
Ｂ  第１、第２両圧接部間の寸法
Ｃ  第１圧接部と回動支点部との間の寸法
Ｄ  第１、第２両傾斜部間の寸法
Ｅ  回動支点部と第１圧接部先端との間の寸法
【図１】
0003540943.tif 000002
【図２】
0003540943.tif 000003
【図３】
0003540943.tif 000004
【図４】
0003540943.tif 000005
【図５】
0003540943.tif 000006
【図６】
0003540943.tif 000007
【図７】
0003540943.tif 000008
【図８】
0003540943.tif 000009
【図９】
0003540943.tif 000010
【図１０】
0003540943.tif 000011
【図１１】
0003540943.tif 000012
【図１２】
0003540943.tif 000013